(57)【要約】【課題】  両面に複写禁止コードが埋め込まれた複写禁止原稿の検知精度を向上させた画像処理装置を提供する。【解決手段】  表面画像と裏面画像とを読み取るスキャナ部２と、読み取った表面画像と裏面画像とから複写禁止コードを検出する禁止情報検出部５と、表面画像と裏面画像との複写禁止コードの検出結果から両面原稿に複写禁止コードが含まれているか否かを判定する制御部７を有している。このように本発明は、表面画像と裏面画像との複写禁止コードの検出結果から両面原稿に複写禁止コードが含まれているか否かを判定するので、両面原稿での複写禁止コードの検出精度を向上させることができる。【選択図】        図１
2007306091.tif 000002
【特許請求の範囲】
【請求項１】
表面画像と裏面画像とを読み取る両面画像読み取り手段と、
読み取った前記表面画像と前記裏面画像とから複写禁止コードを検出する禁止情報検出手段と、
前記表面画像と前記裏面画像との前記複写禁止コードの検出結果から両面原稿に前記複写禁止コードが含まれているか否かを判定する制御手段と、を有することを特徴とする画像処理装置。
【請求項２】
前記禁止情報検出手段は、前記表面画像と前記裏面画像とを連結した画像から前記複写禁止コードを検出することを特徴とする請求項１記載の画像処理装置。
【請求項３】
表面画像と裏面画像とを読み取る両面画像読み取り手段と、
読み取った前記表面画像と前記裏面画像とから複写禁止コードを検出する禁止情報検出手段と、
前記表面画像と前記裏面画像との検出結果から論理和演算を行い、演算結果から両面原稿に前記複写禁止コードが含まれているか否かを判定する制御手段と、を有することを特徴とする画像処理装置。
【請求項４】
表面画像と裏面画像とを読み取るステップと、
前記表面画像と前記裏面画像とから複写禁止コードを検出するステップと、
前記表面画像と前記裏面画像の前記複写禁止コードの検出結果から両面原稿に前記複写禁止コードが含まれているか否かを判定するステップと、を有することを特徴とする複写禁止コード検出方法。
【発明の詳細な説明】
【技術分野】
【０００１】
本発明は、原稿画像の無断コピーを防止する技術に関する。
【背景技術】
【０００２】
近年、パーソナルコンピュータやプリンタ、複写機など、複写機能を持つ画像処理装置の普及により、書類を複製することが極めて簡単になっている。このような状況においては、著作権が付与された原稿、あるいは“コピー禁止”、“複製厳禁”、“マル秘”などといった無断複製の禁止が要求される原稿（以下まとめて“機密原稿”ともいう）に対しても容易にコピーが行われてしまうという欠点がある。換言すれば、文字列、図形、表、グラフなどを含む原稿画像であって、重要情報が漏洩することを防止する必要がある、いわゆる“機密原稿”の印刷出力（プリントアウト）の不正複製による重要情報（機密内容）の漏洩ということが問題となってきている。したがって、複写機能を持つ画像処理装置には、機密原稿の悪用複製を防止する機能を持たせることが必要である。
【０００３】
例えば、特許文献１では、複写禁止情報（コピー禁止とするか否か）、複写許可条件情報（条件が合致する場合にはコピーを許可するための情報）、潜像情報（コピーすると浮き上がる潜像に関する情報）等の制御コードを画像データの背景地紋パターンとして記録しておいて、コピー可能なユーザを制限する技術を開示している。
【０００４】
【特許文献１】特開２００３−２８０４６９号公報
【発明の開示】
【発明が解決しようとする課題】
【０００５】
しかしながら、原稿の両面に複写禁止コードを付加しておいて、この原稿が複写禁止原稿であるか否かを判定する方法では、表面と裏面とでそれぞれ独立に判定を行っていたため、片面原稿の２倍の情報量を持つ両面原稿に対する検知精度も片面原稿と同一であった。
【０００６】
本発明は上記事情に鑑みてなされたものであり、両面に複写禁止コードが埋め込まれた複写禁止原稿の検知精度を向上させた画像処理装置及び複写禁止コード検出方法を提供することを目的とする。
【課題を解決するための手段】
【０００７】
かかる目的を達成するために本発明の画像処理装置は、表面画像と裏面画像とを読み取る両面画像読み取り手段と、読み取った前記表面画像と前記裏面画像とから複写禁止コードを検出する禁止情報検出手段と、前記表面画像と前記裏面画像との前記複写禁止コードの検出結果から両面原稿に前記複写禁止コードが含まれているか否かを判定する制御手段と、を有する構成としている。
このように本発明は、表面画像と裏面画像との複写禁止コードの検出結果から両面原稿に複写禁止コードが含まれているか否かを判定するので、両面原稿での複写禁止コードの検出精度を向上させることができる。
【０００８】
上記画像処理装置において、前記禁止情報検出手段は、前記表面画像と前記裏面画像とを連結した画像から前記複写禁止コードを検出するとよい。
表面画像と裏面画像とを連結して１つの画像とし、この画像から複写禁止コードを検出するので両面原稿での複写禁止コードの検出精度を向上させることができる。
【０００９】
本発明の画像処理装置は、表面画像と裏面画像とを読み取る両面画像読み取り手段と、読み取った前記表面画像と前記裏面画像とから複写禁止コードを検出する禁止情報検出手段と、前記表面画像と前記裏面画像との検出結果から論理和演算を行い、演算結果から両面原稿に前記複写禁止コードが含まれているか否かを判定する制御手段と、を有する構成としている。
【００１０】
本発明の複写禁止コード検出方法は、表面画像と裏面画像とを読み取るステップと、前記表面画像と前記裏面画像とから複写禁止コードを検出するステップと、前記表面画像と前記裏面画像の前記複写禁止コードの検出結果から両面原稿に前記複写禁止コードが含まれているか否かを判定するステップと、を有している。
【発明の効果】
【００１１】
本発明は、両面に複写禁止コードが埋め込まれた複写禁止原稿の検知精度を向上させることができる。
【発明を実施するための最良の形態】
【００１２】
添付図面を参照しながら本発明の好適な実施例を説明する。
【実施例１】
【００１３】
まず、図１を参照しながら本実施例の画像処理装置１の構成を説明する。図１に示す画像処理装置１は、スキャナ部２と、スキャン画像処理部３と、画像蓄積部４と、複写禁止情報検出部５、複写許可条件情報検出部６と、制御部７と、背景地紋画像生成部８と、画像合成部９と、プリント部１０と、ユーザインターフェース部１１とを備えている。
【００１４】
スキャナ部２は第１の読み取り系２Ａと、第２の読み取り系２Ｂとを備えている。スキャナ部２の構成について図２を参照しながら説明する。本実施例のスキャナ部２は、第１の読み取り系２Ａとして、光源６０、ミラー６１、ＣＣＤイメージセンサ６３等を備え、光源６０からの光を原稿表面に照射し、反射光をミラー６１、結像レンズ６２によってＣＣＤイメージセンサ６３に集める。第２の読み取り系２Ｂは第２センサ５０からなる。第２センサ５０は、ガラス５１と、このガラス５１を透過して原稿の第２面に光を照射するＬＥＤ５２と、ＬＥＤ５２からの反射光を集光するレンズアレイ５３と、レンズアレイ５３により集光された光を読み取るイメージセンサであるラインセンサ５４を備えている。ラインセンサ５４としては、ＣＣＤセンサやＣＭＯＳセンサ、密着型センサ等を用いることができる。本実施例では第１の読み取り系によって原稿の表面の画像を読み取り、第２の光学系によって原稿の裏面の画像を読み取る。
【００１５】
スキャン画像処理部３は、入力した表面画像データと裏面画像データに対して、色補正、色空間変換、スクリーン処理等を行い、画像処理後の画像データを画像蓄積部４に蓄積する。
【００１６】
画像合成部９は、画像蓄積部４から画像データを読み出してプリント部１０に出力する。また、制御部７によって背景地紋画像を合成するように設定されている場合、画像蓄積部４からの画像データの読み出しに同期して、画像合成部９内のメモリに蓄積された背景地紋画像データを読み出して、画像データの所定の色プレーンに論理和（ＯＲ）合成を行い、合成画像データをプリント部１０へ出力する。プリント部１０は、画像合成部９から出力される合成画像データ、または画像データを用紙上に記録する。
【００１７】
本実施例の画像処理装置は、背景地紋画像が埋め込まれた機密文書から、背景地紋画像に埋め込まれた制御コードを読み取って、許可されたユーザにだけ機密文書を印刷できるように構成されている。
背景地紋画像に埋め込まれる制御コードには以下のものがある。
（Ａ）・・・複写禁止情報（コピー禁止とするか否か）
（Ｂ）・・・複写許可条件情報（条件が合致する場合にはコピーを許可するための情報）
例えば、暗証番号、複写を許可するユーザＩＤ番号（社員番号等）、複写禁止を解除する日時、複写を許可する複写機の機械番号
（Ｃ）・・・潜像情報（コピーすると浮き上がる潜像に関する情報）
例えば、潜像の文字列、フォント種類、フォントサイズ、潜像文字列の方向（角度）、背景地紋画像色
【００１８】
ここで、背景地紋画像について図３を参照しながら詳細に説明する。背景地紋画像は、潜像画像ＩＰと、出力画像Ｏの全面にわたる背景パターンＰＢとから構成される。
【００１９】
背景パターンＰＢと潜像画像ＩＰとは、それぞれを構成するパターンが異なる。しかし、人間の目には全面均一のグレイ背景として見える様に、単位面積あたりの画素面積及び画素色が同一なパターンにより出力画像Ｏを形成する。
【００２０】
潜像画像ＩＰは、複写された文書において、潜像画像ＩＰが人間の目で識別できる程度に画像が浮かびあがるよう、他の部分のよりも細かいドットで構成されている。
【００２１】
背景パターンＰＢは、コードから構成される。コードは、任意のコードデータを表す条件コードＣＤと、複写を制限する禁複写コードＣＰとから構成される。
【００２２】
コードは、任意のコードデータを表す斜線パターンＰＳから構成される。斜線パターンＰＳは、走査方向Ｄに対し反時計回りに４５度傾いた半直線で表されるものがコードデータのビット０を、１３５度傾いたものがコードデータのビット１を表す。
【００２３】
禁複写コードＣＰは、全斜線パターンＰＳがビット０を表すものとビット１を表すものとから構成される。禁複写コードＣＰは、２種類の禁複写コードＣＰを所定個数以上検出した場合に、複写が制限された原稿であると判断する為に使用される。
【００２４】
条件コードＣＤは、同期コード領域ＡＳとデータコード領域ＡＣとから構成される。
同期コード領域ＡＳとは、データコード領域ＡＣを囲む所定サイズの矩形領域の外周がすべてビット１を表す斜線パターンＰＳ１で構成されているコード領域を言う。
データコード領域には、暗証番号、複写を許可するユーザＩＤ番号（社員番号等）、複写禁止を解除する日時、複写を許可する複写機の機械番号等が符号化され、条件コードＣＤとして埋め込まれている。
【００２５】
次に、複写禁止情報検出部５について図４を参照しながら説明する。スキャナ部２から出力された画像データは、グレースケール変換部２１に入力され、フルカラーからグレースケールに変換される。その後、２値化処理部２２によって２値化される。
【００２６】
２値化された画像データは、ノイズ除去処理部２３に入力され、ノイズ除去処理が行われる。具体的には、黒画素が連結している画素塊を求め、その画素塊の大きさ（連結画素数）が所定の範囲に収まっていない画素塊の各画素を白画素に置き換える。上記所定の範囲は、斜線パターンは削除されず、それ以外のパターン（孤立ドットパターンや文書中の文字や図形等）が削除されるように適切な範囲が設定されている。
【００２７】
ノイズ除去された画像データは、パターン検出部２４に入力され、２種類の斜線パターンの検出処理が行われ、その結果が１画素２ビットの画像データとして出力される。具体的には、画像データ中の各画素の位置で図５（Ａ）、（Ｂ）のパターンを当てはめて、テンプレートマッチングによって検出を行う。ここで、図６に示すパターン（Ａ）が検出された場合、画素値０を出力し、図５に示すパターン（Ｂ）が検出された場合、画素値１を出力し、パターンが検出されない場合、画素値２を出力する。
【００２８】
パターン検出処理部２４から出力された画像データは、ブロック化処理部２５に入力される。ここで、ブロックサイズは、複写禁止コード、条件コードのサイズの半分よりも小さいサイズとし、コードの中に１個以上のブロックが完全に含まれるようなサイズに設定されている。ブロック化処理部２５は、入力された画像データを所定サイズのブロックに分割し、個数算出部２６に出力する。
【００２９】
個数算出部２６は、ブロック内に画素値０の画素の個数、および画素値１の画素をそれぞれ算出し、その結果を比率算出部２７へ出力する。また、その合計を判定処理部２８へ出力する。比率算出部２７は、画素値０の画素の比率を算出し、その結果を判定処理部２８へ出力する。
【００３０】
判定処理部２８は、個数算出部２６から入力された合計個数および比率算出部２７から入力された比率を元にして、判定処理を行う。
【００３１】
ここで、今処理しているブロックが全ビット０の複写禁止コードを記したブロックに該当している場合、ブロック内部には所定個数以上のビット０に対応する斜線パターンが検出され、かつビット１に対応する斜線パターンはほとんど検出されないため、ビット０に対応する斜線パターンの比率が高くほとんど１．０に近いはずである。
【００３２】
また、今処理しているブロックが全ビット１の複写禁止コードを記したブロックに該当している場合、ブロック内部には所定個数以上のビット１に対応する斜線パターンが検出され、かつビット０に対応する斜線パターンはほとんど検出されないため、ビット０に対応する斜線パターンの比率は低くほとんど０．０に近いはずである。
【００３３】
また、今処理しているブロックが条件コードの少なくとも一部を含む場合、ブロック内部には複数のビット０に対応する斜線パターンおよび複数のビット１に対応する斜線パターンが検出されるため、ビット０に対応する斜線パターンの比率は１．０よりもかなり低く、０よりもかなり高くなるはずである。
【００３４】
また、もし入力された画像データが複写禁止情報を埋め込まれた画像であれば、画像中には、ブロックの内部が全ビット０の複写禁止コードと、ブロックの内部が全ビット１の複写禁止コードとがそれぞれ複数個埋め込まれているはずである。
【００３５】
以上の特性を利用して、下記のような判定処理を行う。
合計個数＞第１しきい値、かつ、比率＞第２しきい値の場合は、そのブロックは複写禁止コード０と判定する。
合計個数＞第１しきい値、かつ。（１−比率）＞第２しきい値の場合は、そのブロックは複写禁止コード１と判定する。
上記以外の場合は、そのブロックは複写禁止コードではないと判定する。また、第１しきい値は、ブロックサイズとパターンサイズからブロックに含まれる理論的なパターン個数にマージンを加味して設定する。第２しきい値は、１．０に近い値を設定する。
【００３６】
判定処理部２８は、複写禁止コード０と判定されたブロック数、および複写禁止コード１と判定されたブロック数をそれぞれ別々にカウントする。複写禁止コード０と判定されたブロック数がしきい値３以上となり、かつ複写禁止コード０と判定されたブロック数がしきい値３以上となった場合、その画像を複写禁止文書と判定し、その判定結果を制御部７へ出力する。
【００３７】
次に、複写許可条件情報検出部６の詳細について図６を参照しながら説明する。スキャナ部２から出力された画像データはグレースケール変換部３１に入力され、フルカラーからグレースケールに変換された後に、２値化処理部３２によって２値化される。
【００３８】
２値化された画像データはノイズ除去処理部３３に入力され、ノイズ除去処理３３が行われる。ノイズが除去された画像データは、パターン検出処理部３４に入力され、２種類の斜線パターンの検出処理が行われ、その処理結果のデータがバッファメモリ３５に格納される。この画像データは、ビット０に対応する斜線パターンが検出された位置の画素値は０、ビット１に対応する斜線パターンが検出された位置の画素値は１、それ以外は２の値を持った１画素２ビットの画像データとなっている。
【００３９】
バッファメモリ３５に格納された画像データは、スキュー角検出処理部３６に入力され、スキュー角度の検出が行われる。ここでは、入力画像データのスキュー角度を求める。具体的な方式としては、画素値０または１のみの画素のハフ変換を行い、その角度軸上への投影分布のピークを求めることによって行われる。求めたスキュー角度はコード検出部３７へ出力される。
【００４０】
また、バッファメモリ３５に格納された画像データが読み出されてコード検出部３７へ入力され、２次元コードの検出が行われる。具体的には、求めたスキュー角度に画像をスキャンして０または１の画素値（ビットの０または１に対応している）を取り出す。取り出された、ビット列から同期コードを見つけ出す。同期コードは、所定の縦横サイズの矩形領域の外周がすべてビット１で構成されているコードとして定義されている。この同期コードに囲まれたビット配列が２次元コード（条件コード）となっている。このビット配列を１次元のビット列に並べ替えて誤り訂正復号部３８へ出力する。
【００４１】
誤り訂正復号部３８では、入力されたビット列に対して、所定の誤り訂正復号処理を行い、条件情報として復号する。復号された複写許可条件情報は制御部７へ出力される。
【００４２】
次に、図７を参照しながら背景地紋画像生成部８について説明する。
背景地紋画像生成部８には、制御部７から複写禁止コード（複写禁止情報、条件情報、潜像情報）が入力される。このうち複写禁止情報と複写許可条件情報は付加情報符号化部４２へ入力され、潜像情報は潜像生成部４１に入力される。
【００４３】
潜像生成部４１は、入力された潜像情報を元に潜像画像を生成する。潜像情報とは、パターン画像の中にどのような潜像文字を埋め込むかを示す情報であり、具体的には潜像の文字列、フォント種類、フォントサイズ、潜像文字列の方向（角度）等の情報からなる。潜像生成部４１は、潜像情報を受け取ると、指定されたフォント種類、フォントサイズで、指定された方向に潜像文字列の描画を行い、２値の潜像画像として生成する。生成した潜像画像は付加情報符号化部４２へ出力される。なお、潜像画像の解像度は、プリンタの解像度を後述するパターンのサイズで割った解像度となる。例えば、プリンタ解像度が６００ｄｐｉ、パターンのサイズが１２画素×１２画素の場合、潜像画像の解像度は５０ｄｐｉとなる。
【００４４】
付加情報符号化部４２は、入力された複写禁止情報及び条件情報の符号化を行う。まず、複写禁止情報がプリント出力を行った文書を画像処理装置で複写させないようにすること示す場合、図８（Ａ）、（Ｂ）に示す２種類の複写禁止コードを生成する。ここで、図８（Ａ）の複写禁止コードは、コード内部が全てビット０となっており、図８（Ｂ）の複写禁止コードは、コード内部が全てビット１となっていることが特徴である。複写禁止情報が入力されない場合、もしくはプリント出力を行った文書を画像処理装置で複写させないようにすることを示すものではない場合、図８（Ａ）および（Ｂ）に示す２種類のコードの生成は行われない。
【００４５】
次に、条件情報が入力されている場合、その条件情報に対して誤り訂正符号を行い、図８（Ｃ）に示すような条件コードを生成する。図８（Ｃ）のコードは、ビット０およびビット１の配列によって、符号化された条件情報のビット列を表している。コードの外周は、コードの位置決めを容易にするために特殊なビットパターンとなっている。
【００４６】
次に、生成したコードを図９（Ａ）に示すように複数個繰り返し配置し、潜像画像の大きさと同じ大きさのパターン番号配列を生成する。ここで、図の斜線ハッチングされた矩形が図８（Ａ）の複写禁止コード、縦線ハッチングされた矩形が図８（Ｂ）の複写禁止コード、ドットハチングされた矩形が図８（Ｃ）の条件コードとなっている。もし、複写禁止コードが生成されなかった場合には、図中の複写禁止コードの部分には条件コードを配置する。また、もし条件コードが生成されなかった場合には、図中の条件コードの部分には複写禁止コードを配置する。この時点で、パターン番号配列の各要素の値は０または１になっている。
【００４７】
次に、潜像画像を参照し、潜像画像中の黒画素の座標に対応するパターン番号配列の要素のパターン番号を２に変更する。これを潜像画像中の全ての黒画素について行うと、パターン番号配列は、複写禁止コード、条件コードが並べて配置された背景にパターン番号２で潜像文字が描かれた状態となる。この状態を図９（Ｂ）に示す。図中の黒色の「ＣＯＰＹ」の部分が、パターン配列番号を２に変更された部分を示す。このパターン番号配列をパターン画像生成部４４へ出力する。
【００４８】
パターン画像生成部４４は、入力されたパターン番号配列の各要素を参照し、そのパターン番号に対応したパターンをパターン格納部４３から読み出してパターン画像に変換することで、背景地紋画像を生成する。生成された背景地紋画像は、画像合成部９内のメモリ（不図示）に格納される。
【００４９】
本実施例は、原稿の両面で複写禁止コードを検出し、両面で検出した複写禁止コードの検出数に応じて原稿が複写禁止原稿であるか否かを判定する。
例えば、表面と裏面のそれぞれの面で検出した複写禁止コードの数が、片面用の判定しきい値よりもほんのわずかに少なかった場合、それぞれの判定を独立で行うと禁止原稿ではないと判定されてしまう。そこで、両面で検出した複写禁止コードを加算して、この値が両面判定用に設定したしきい値よりも大きいか否かを判定することで、複写禁止原稿と判定することができる。
【００５０】
本実施例の動作手順を図１０に示すフローチャートを参照しながら説明する。複写開始のスタートボタンが押下されると（ステップＳ１）、スキャナ部２で表面と裏面の原稿画像を読み取る（ステップＳ２）。図２に示す第１の読み取り系２Ａで表面の画像を読み取り、第２の読み取り系２Ｂで裏面の画像を読み取る。読み取られた画像データは、複写禁止情報検出部５にそれぞれ入力される。なお、以下では、複写禁止情報検出部５の処理について説明するが、複写許可条件情報検出部６の処理手順も同様である。
【００５１】
複写禁止情報検出部５は、表面画像と裏面画像とから複写禁止コードをそれぞれ検出し、検出した複写禁止コード数を制御部７に出力する。複写禁止情報検出部５は、表面画像と裏面画像とを副走査方向で連結、すなわち表面画像の後端に裏面画像を連結し、この画像から複写禁止コードを検出していく。又は表面画像と裏面画像とを主走査方向で連結、すなわち、表面画像の横に裏面画像を連結し、この画像から複写禁止コードを検出してもよい。
【００５２】
制御部７は、複写禁止情報検出部５から表面と裏面の複写禁止コード数を取得すると（ステップＳ３）、これらの値を加算して両面判定用の判定しきい値とを比較する。しきい値との比較の結果、原稿が複写禁止原稿であると判定された場合には（ステップＳ４／ＹＥＳ）、ユーザインターフェース部１１からアラーム音を出力して、ユーザに警告する（ステップＳ６）。また、原稿が複写禁止原稿ではないと判定されると（ステップＳ４／ＮＯ）、読み取った画像データをプリント部１０に出力し、画像を形成する（ステップＳ５）。以上の処理を全原稿で繰り返し行い、全原稿の処理を終了すると（ステップＳ７／ＹＥＳ）、このフローを終了する。
【実施例２】
【００５３】
添付図面を参照しながら本発明の第２実施例を説明する。本実施例は、図１１に示すように複写禁止情報検出部と複写許可条件情報検出部とを表面用と裏面用とで２つずつ設けている。第１の読み取り系２Ａで読み取った表面画像の判定を第１複写禁止情報検出部５Ａと、第１複写許可条件情報検出部６Ａとで行い、第２の読み取り系２Ｂで読み取った裏面画像の判定を第２複写禁止情報検出部５Ｂと、第２複写許可条件情報検出部６Ｂとで行う。
また制御部７は、第１複写禁止情報検出部５Ａと第２複写禁止情報検出部５Ｂとの検出結果から論理和演算を行って、両面原稿に複写禁止コードが埋め込まれているか否かを判定する。
【００５４】
本実施例の処理手順を図１２に示すフローチャートを参照しながら説明する。
複写開始のスタートボタンが押下されると（ステップＳ１１）、スキャナ部２で表面と裏面の原稿画像を読み取る（ステップＳ１２）。図１１に示す第１の読み取り系２Ａで表面の画像を読み取り、第２の読み取り系２Ｂで裏面の画像を読み取る。読み取られた画像データは、複写禁止情報検出部５にそれぞれ入力される。
【００５５】
第１複写禁止情報検出部５Ａは、表面画像に埋め込まれた複写禁止コードを検出し、表面画像に複写禁止コードが埋め込まれているか否かを判定する（ステップＳ１３）。第２複写禁止情報検出部５Ｂは、裏面画像に埋め込まれた複写禁止コードを検出し、裏面画像に複写禁止コードが埋め込まれているか否かを判定する（ステップＳ１４）。検出結果は制御部７に出力される。制御部７は、表面画像の判定結果と裏面画像の判定結果との論理和演算を行い、両面原稿に複写禁止情報が埋め込まれているか否かを判定する（ステップＳ１５）。
論理演算の結果、原稿が複写禁止原稿であると判定された場合には（ステップＳ１６／ＹＥＳ）、ユーザインターフェース部１１からアラーム音を出力して、ユーザに警告する（ステップＳ１８）。また、論理演算の結果、原稿が複写禁止原稿ではないと判定されると（ステップＳ１６／ＮＯ）、読み取った画像データをプリント部１０に出力し、画像を形成する（ステップＳ１７）。
以上の処理を全原稿で繰り返し行い、全原稿の処理を終了すると（ステップＳ１９／ＹＥＳ）、このフローを終了する。
【００５６】
上述した実施例は本発明の好適な実施例である。但し、これに限定されるものではなく、本発明の要旨を逸脱しない範囲内において種々変形実施可能である。
【図面の簡単な説明】
【００５７】
【図１】画像処理装置の構成を示すブロック図である。
【図２】両面読み取り可能なスキャナ装置の構成を示す図である。
【図３】背景地紋画像を示す図である。
【図４】複写禁止情報検出部の構成を示すブロック図である。
【図５】テンプレートマッチングに使用される画像の一例を示す図である。
【図６】複写許可条件情報検出部の構成を示すブロック図である。
【図７】背景地紋画像生成部の構成を示すブロック図である。
【図８】複写禁止情報及び条件情報を示す図である。
【図９】パターン番号配列を示す図である。
【図１０】実施例１の処理手順を示すフローチャートである。
【図１１】実施例２の画像処理装置の構成を示す図である。
【図１２】実施例２の処理手順を示すフローチャートである。
【符号の説明】
【００５８】
１  画像処理装置
２  スキャナ部
２Ａ  第１の読み取り系
２Ｂ  第２の読み取り系
３  スキャン画像処理部
４  画像蓄積部
５  複写禁止情報検出部
６  複写許可条件情報検出部
７  制御部
８  背景地紋画像生成部
９  画像合成部
１０  プリント部
１１  ユーザインターフェース部
【図１】
2007306091.tif 000003
【図２】
2007306091.tif 000004
【図３】
2007306091.tif 000005
【図４】
2007306091.tif 000006
【図５】
2007306091.tif 000007
【図６】
2007306091.tif 000008
【図７】
2007306091.tif 000009
【図８】
2007306091.tif 000010
【図９】
2007306091.tif 000011
【図１０】
2007306091.tif 000012
【図１１】
2007306091.tif 000013
【図１２】
2007306091.tif 000014